(57)【要約】      （修正有）【課題】湾曲部で分離した油の再飛散を抑制する油分離器を提供する。【解決手段】油分離器は、遠心分離式の油分離器であって、筒状の分離器本体７０と、油を含む流体を分離器本体７０に導入するとともに湾曲部６０を有する流入管５０とを備え、湾曲部６０には、少なくとも１つの油抜き穴９０を形成し、油を分離する構造とする。【選択図】図７
2019063717.tif 000002
【特許請求の範囲】
【請求項１】
遠心分離式の油分離器であって、
筒状の分離器本体（70）と、
油を含む流体を前記分離器本体（70）に導入するとともに湾曲部（60）を有する流入管（50）とを備え、
前記湾曲部（60）には、少なくとも１つの油抜き穴（90）が形成されていることを特徴とする油分離器。
【請求項２】
請求項１において、
前記油抜き穴（90）は、前記湾曲部（60）の外周側部分（64）に配置されることを特徴とする油分離器。
【請求項３】
請求項１又は２において、
前記油抜き穴（90）は、前記湾曲部（60）の軸心の下側部分（65）に配置されることを特徴とする油分離器。
【請求項４】
請求項１乃至３のいずれか１つにおいて、
前記湾曲部（60）には、複数の前記油抜き穴（90）が前記流体の流れ方向に配列されることを特徴とする油分離器。
【請求項５】
請求項４において、
前記複数の油抜き穴（90）の開口面積は、下流側に向かうにつれて小さいことを特徴とする油分離器。
【請求項６】
請求項４又は５において、
前記複数の油抜き穴（90）は、前記流入管（50）の軸周りの角度位置が互いに異なることを特徴とする油分離器。
【請求項７】
請求項１乃至３のいずれか１つにおいて、
前記油抜き穴（90）は、前記流体の流れ方向に延びるスリット（95）であることを特徴とする油分離器。
【請求項８】
請求項７において、
前記スリット（95）の開口幅は、下流側に向かうにつれて小さいことを特徴とする油分離器。
【請求項９】
請求項１乃至８のいずれか１つにおいて、
前記湾曲部（60）は、径方向外方に向かうにつれて先細な形状の内面（61a）を有し、
前記油抜き穴（90）は、前記内面（61a）の先端部（67）に設けられることを特徴とする油分離器。
【請求項１０】
請求項１乃至９のいずれか１つにおいて、
前記油抜き穴（90）と、前記分離器本体（70）の油溜まり（74）とを連通させる油通路（92）を備えていることを特徴とする油分離器。
【請求項１１】
請求項１０において、
前記分離器本体（70）の内部中央に配置されるとともに、下端に流体の流入口（85）が形成される内筒（82）を備え、
前記油通路（92）の流出開口（93）は、前記内筒（82）の前記流入口（85）より下側で、且つ該流入口（51a）よりも外周側に位置していることを特徴とする油分離器。
【請求項１２】
請求項１０において、
前記分離器本体（70）の内部中央に配置されるとともに、下端に流体の流入口（85）が形成される内筒（82）と、
前記分離器本体（70）の底部（72）と前記内筒（82）との間に配置される分離板（76）とを備え、
前記油通路（92）の流出開口（93）は、前記分離板（76）の下側に位置していることを特徴とする油分離器。
【請求項１３】
請求項１０乃至１２のいずれか１つにおいて、
前記油通路（92）の流出開口（93）は、前記分離器本体（70）の周壁（71）に設けられることを特徴とする油分離器。
【請求項１４】
請求項１０乃至１３のいずれか１つにおいて、
前記油通路（92）の流出開口（93）は、前記分離器本体（70）の内周面（71a）の接線に沿った方向に開口していることを特徴とする油分離器。
【請求項１５】
電動機（20）と、該電動機（20）に回転駆動される駆動軸（23）と、該駆動軸（23）を支持する軸受け（24,25）と、該駆動軸（23）と連結し、流体を圧縮する圧縮機構（30）とを備えた圧縮機であって、
請求項１乃至１４のいずれか１つに記載の油分離器（40）を備えていることを特徴とする圧縮機。
【請求項１６】
請求項１５において、
前記油抜き穴（90）を流出した油を、前記圧縮機構（30）の摺動部、及び前記軸受け（24,25）の少なくとも一方へ送る油導入路（17）を備えていることを特徴とする圧縮機。
【発明の詳細な説明】
【技術分野】
【０００１】
本発明は、遠心分離式の油分離器に関する。
【背景技術】
【０００２】
特許文献１に開示される油分離器では、流入管に湾曲部が形成されている。湾曲部では、流体中の油が遠心力によって分離される。その後、流体は分離器本体に流入する。分離器本体では、旋回流に伴う遠心力により、流体中の油が更に分離される（例えば特許文献１の図３を参照）。
【先行技術文献】
【特許文献】
【０００３】
【特許文献１】特表２０１７−５０３９８９号公報
【発明の概要】
【発明が解決しようとする課題】
【０００４】
上述したような湾曲部では、遠心力によって油が分離され、細かい油滴が集まっていく。ところが、例えば湾曲部を流れる流体の流速が増大すると、分離・捕集された油が微細な油滴となって再飛散する可能性がある。また、湾曲部で分離された油が、分離器本体に流入する際、この油が吹き飛ばされることにより、微細な油滴となって再飛散しまう可能性もある。このように、湾曲部でせっかく分離した油が再飛散すると、油分離効率の低下につながる。
【０００５】
本発明は、湾曲部で分離した油の再飛散を抑制することを目的とする。
【課題を解決するための手段】
【０００６】
第１の態様は、遠心分離式の油分離器であって、筒状の分離器本体（70）と、油を含む流体を前記分離器本体（70）に導入するとともに湾曲部（60）を有する流入管（50）とを備え、前記湾曲部（60）には、少なくとも１つの油抜き穴（90）が形成されていることを特徴とする油分離器である。
【０００７】
第１の態様では、湾曲部（60）で分離した油を油抜き穴（90）を通じて湾曲部（60）の外部へ排出できる。従って、湾曲部（60）で分離した油が再飛散することを抑制できる。
【０００８】
第２の態様は、第１の態様において、前記油抜き穴（90）は、前記湾曲部（60）の外周側部分（64）に配置されることを特徴とする油分離器である。
【０００９】
第２の態様では、湾曲部（60）の外周側部分（64）に油抜き穴（90）を形成することで、油を油抜き穴（90）に導き易くなる。
【００１０】
第３の態様は、第１又は２の態様において、前記油抜き穴（90）は、前記湾曲部（60）の軸心の下側部分（65）に配置されることを特徴とする油分離器である。
【００１１】
第３の態様では、湾曲部（60）の下側部分（65）に油抜き穴（90）を形成することで、油を油抜き穴（90）に導き易くなる。
【００１２】
第４の態様は、第１乃至３の態様のいずれか１つにおいて、前記湾曲部（60）には、複数の前記油抜き穴（90）が前記流体の流れ方向に配列されることを特徴とする油分離器である。
【００１３】
第４の態様では、湾曲部（60）で分離した油を、流体の流れ方向に配列された複数の油抜き穴（90）を通じて湾曲部（60）の外部へ排出できる。
【００１４】
第５の態様は、第４の態様において、前記複数の油抜き穴（90）の開口面積は、下流側に向かうにつれて小さいことを特徴とする油分離器である。
【００１５】
第５の態様では、複数の油抜き穴（90）の開口面積が、湾曲部（60）で分離される油のサイズに対応するため、油を各油抜き穴（90）へ導入し易くなる。
【００１６】
第６の態様は、第４又は５の態様において、前記複数の油抜き穴（90）は、前記流入管（50）の軸周りの角度位置が互いに異なることを特徴とする油分離器である。
【００１７】
第６の態様では、分離した油が周方向に幅広く分布していたとしても、油を複数の油抜き穴（90）へ導入できる。
【００１８】
第７の態様は、第１乃至３の態様のいずれか１つにおいて、前記油抜き穴（90）は、前記流体の流れ方向に延びるスリット（95）であることを特徴とする油分離器である。
【００１９】
第７の態様では、湾曲部（60）で分離した油を、スリット（95）を通じて湾曲部（60）の外部へ排出できる。
【００２０】
第８の態様は、第７の態様において、前記スリット（95）の開口幅は、下流側に向かうにつれて小さいことを特徴とする油分離器である。
【００２１】
第８の態様では、スリット（95）の開口幅が、湾曲部（60）で分離される油のサイズに対応するため、油を各油抜き穴（90）へ導入し易くなる。
【００２２】
第９の態様は、第１乃至８の態様のいずれか１つにおいて、前記湾曲部（60）は、径方向外方に向かうにつれて先細な形状の内面（61a）を有し、前記油抜き穴（90）は、前記内面（61a）の先端部（67）に形成されることを特徴とする油分離器である。
【００２３】
第９の態様では、遠心力により分離された油を、先細な形状の内面（61a）の先端部（67）に捕集できる。この油を先端部の油抜き穴（90）を通じて湾曲部（60）の外部へ排出できる。
【００２４】
第１０の態様は、第１乃至９の態様のいずれか１つにおいて、前記油抜き穴（90）と、前記分離器本体（70）の油溜まり（74）とを連通させる油通路（92）を備えていることを特徴とする油分離器である。
【００２５】
第１０の態様では、油抜き穴（90）へ排出した油を分離器本体（70）の油溜まり（74）へ送ることができる。
【００２６】
第１１の態様は、第１０の態様において、前記分離器本体（70）の内部中央に配置されるとともに、下端に流体の流入口（85）が形成される内筒（82）を備え、前記油通路（92）の流出開口（93）は、前記内筒（82）の前記流入口（51a）より下側で、且つ該流入口（85）よりも外周側に位置していることを特徴とする油分離器である。
【００２７】
第１１の態様では、油通路（92）から油溜まり（74）へ送られた油が、内筒（82）へ流入する流体に巻き込まれるのを抑制できる。
【００２８】
第１２の態様は、第１０の態様において、前記分離器本体（70）の内部中央に配置されるとともに、下端に流体の流入口（85）が形成される内筒（82）と、前記分離器本体（70）の底部（72）と前記内筒（82）との間に配置される分離板（76）とを備え、前記油通路（92）の流出開口（93）は、前記分離板（76）の下側に位置していることを特徴とする油分離器である。
【００２９】
第１２の態様では、油通路（92）から油溜まり（74）へ送られた油が、内筒（82）へ流入する流体に巻き込まれることを、分離板（76）によって抑制できる。
【００３０】
第１３の態様は、第１０乃至１２の態様のいずれか１つにおいて、前記油通路（92）の流出開口（93）は、前記分離器本体（70）の周壁（71）に設けられることを特徴とする油分離器である。
【００３１】
第１３の態様では、油通路（92）から油溜まり（74）へ送られた油が、内筒（82）へ流入する流体に巻き込まれるのを抑制できる。
【００３２】
第１４の態様は、第１０乃至１３の態様のいずれか１つにおいて、前記油通路（92）の流出開口（93）は、前記分離器本体（70）の内周面（71a）の接線に沿った方向に開口していることを特徴とする油分離器である。
【００３３】
第１４の態様では、油通路（92）から油溜まり（74）へ送られた油が、内筒（82）へ流入する流体に巻き込まれるのを抑制できる。
【００３４】
第１５の態様は、電動機（20）と、該電動機（20）に回転駆動される駆動軸（23）と、該駆動軸（23）を支持する軸受け（24,25）と、該駆動軸（23）と連結し、流体を圧縮する圧縮機構（30）とを備えた圧縮機であって、第１乃至１４の態様のいずれか１つに記載の油分離器（40）を備えていることを特徴とする圧縮機である。
【００３５】
第１６の態様は、第１５の態様において、前記油抜き穴（90）を流出した油を、前記圧縮機構（30）及び前記軸受け（24,25）の少なくとも一方へ送る油導入路（17）を備えていることを特徴とする圧縮機である。
【００３６】
第１６の態様では、油抜き穴（90）より排出された油を、圧縮機構（30）や軸受け（24,25）の摺動部の潤滑に利用できる。
【図面の簡単な説明】
【００３７】
【図１】図１は、実施形態に係る圧縮機の全体構成を示す縦断面図である。
【図２】図２は、油分離器を側方から視た斜視図である。
【図３】図３は、油分離器をフランジ側から視た斜視図である。
【図４】図４は、図１における油分離器を拡大した縦断面図である。
【図５】図５は、図４のV-V線断面図である。
【図６】図６は、湾曲部の軸直角断面図である。
【図７】図７は、通路部材、及びその周辺を拡大した縦断面図である。
【図８】図８は、図７のVIII-VIII線断面図である。
【図９】図９は、変形例１に係る油分離器の図２に相当する図である。
【図１０】図１０は、変形例２に係る湾曲部の軸直角断面図であり、油抜き穴を仮想線で表している。
【図１１】図１１は、変形例３に係る油分離器の図２に相当する図である。
【図１２】図１２は、変形例４に係る湾曲部の図６に相当する図である。
【図１３】図１３は、変形例５に係る湾曲部の図６に相当する図である。
【図１４】図１４は、変形例６に係る油分離器の図４に相当する図である。
【図１５】図１５は、変形例７に係る油分離器の横断面図である。
【図１６】図１６は、変形例８に係る圧縮機の縦断面図であり、油分離器の周辺を拡大している。
【図１７】図１７は、その他の実施形態における図８に相当する図である。
【発明を実施するための形態】
【００３８】
以下、本発明の実施形態について図面を参照しながら説明する。なお、以下の実施形態は、本質的に好ましい例示であって、本発明、その適用物、あるいはその用途の範囲を制限することを意図するものではない。また、以下に説明する各実施形態、変形例、その他の例等の各構成は、本発明を実施可能な範囲において、組み合わせたり、一部を置換したりできる。
【００３９】
《実施形態》
実施形態に係る油分離器（40）は、圧縮機（10）に兼用されている。圧縮機（10）は、冷凍装置の冷媒回路に接続される。冷媒回路では、圧縮機（10）で圧縮された冷媒が循環することで冷凍サイクルが行われる。
【００４０】
図１に示す圧縮機（10）は、シングルスクリュー圧縮機である。圧縮機（10）は、ケーシング（11）と、該ケーシング（11）内の電動機（20）、駆動軸（23）、及び圧縮機構（30）を備えている。圧縮機（10）は、油分離器（40）を有している。油分離器（40）は、ケーシング（11）の一部として兼用されている。
【００４１】
〈ケーシング〉
ケーシング（11）は、金属製の横長の半密閉容器で構成される。ケーシング（11）は、ケーシング本体（12）、吸入カバー（13）、及び吐出カバー（41）を備えている。ケーシング本体（12）は、横長の筒状に形成される。吸入カバー（13）は、ケーシング本体（12）の長手方向（軸方向）の一端の開口を閉塞する。吐出カバー（41）は、本体の長手方向の他端の開口を閉塞する。ケーシング（11）の内部には、吸入カバー（13）寄りに低圧空間（L）が形成され、吐出カバー（41）寄りに高圧空間（H）が形成される。
【００４２】
吸入カバー（13）の上部には、吸入口（13a）が形成される。吸入口（13a）には、吸入管（図示省略）が接続される。吸入管は、冷媒回路に接続される。吸入管からは、ケーシング（11）内の低圧空間（L）に低圧の冷媒が導入される。吐出カバー（41）は、油分離器（40）に兼用される。吐出カバー（41）の詳細は後述する。
【００４３】
〈電動機〉
電動機（20）は、低圧空間（L）に配置される。電動機（20）は、ケーシング本体（12）に固定されるステータ（21）と、該ステータ（21）の内部に配置されるロータ（22）とを備えている。ロータ（22）の中心部には駆動軸（23）が固定される。電動機（20）は、回転数ないし容量が可変に構成される。つまり、電動機（20）は、インバータ装置を介して電力が供給されるインバータ式である。
【００４４】
〈駆動軸〉
駆動軸（23）は、電動機（20）及び圧縮機構（30）に連結している。駆動軸（23）は、ケーシング（11）の長手方向に沿って水平に延びている。駆動軸（23）は、第１軸受け（24）と第２軸受け（25）とに回転可能に支持される。第１軸受け（24）は、吸入カバー（13）の内部に配置される。第２軸受け（25）は、軸受け室（26）に配置される。軸受け室（26）は、ケーシング本体（12）の内部中央に設けられる。
【００４５】
〈圧縮機構〉
圧縮機構（30）は、駆動軸（23）を介して電動機（20）に駆動される。圧縮機構（30）では、冷媒が圧縮される。圧縮機構（30）は、シリンダ部（31）、スクリューロータ（32）、及び２つのゲートロータ（図示省略）を備えている。シリンダ部（31）は、ケーシング本体（12）の内部中央に設けられる。シリンダ部（31）の内部には、アンロード動作（圧縮した冷媒の一部を低圧空間（L）に戻す動作）を行うためのスライドバルブ（図示省略）が設けられる。スクリューロータ（32）は、シリンダ部（31）の内部に収容されている。スクリューロータ（32）は、駆動軸（23）によって回転駆動される。スクリューロータ（32）の周囲には螺旋溝（33）が形成される。螺旋溝（33）には、ゲートロータの複数のゲートが歯合する。これにより、シリンダ部（31）、スクリューロータ（32）、及びゲートの間に、圧縮室（35）が形成される。圧縮室（35）で圧縮された冷媒は、吐出ポート（36）からシリンダ部（31）の周囲の吐出通路（37）に吐出される。
【００４６】
〈隔壁〉
圧縮機構（30）と高圧空間（H）の間には、円板状の仕切部（15）が形成される。仕切部（15）の外周面は、ケーシング本体（12）の内周面に固定される。仕切部（15）には、吐出通路（37）と高圧空間（H）とを連通させる吐出連通穴（16）が形成される。吐出通路（37）の冷媒は、吐出連通穴（16）を通過して高圧空間（H）に送られる。
【００４７】
仕切部（15）には、油導入路（17）が形成される。油導入路（17）は、高圧空間（H）の下部の第１油溜まり（18）と、軸受け室（26）とを連通させる。
【００４８】
〈油分離器の全体構成〉
次いで油分離器（40）の構成について、図１〜図８を参照しながら詳細に説明する。油分離器（40）は、高圧空間（H）の冷媒中から油を分離する。油分離器（40）は、遠心力を利用して油を分離する遠心分離式である。厳密にいうと、油分離器（40）は、外筒（71）と内筒（82）との間の旋回流によって冷媒中の油を分離する、サイクロン式である。
【００４９】
油分離器（40）は、吐出カバー（41）と、流入管（50）と、分離器本体（70）と、内部材（80）とを備えている。吐出カバー（41）は、上述したケーシング（11）の一部を兼用している。流入管（50）は、高圧空間（H）の高圧冷媒を分離器本体（70）に導入する。分離器本体（70）は、有底筒状に形成される。分離器本体（70）の周壁は、外筒（71）を構成している。内部材（80）は、分離器本体（70）の上部に取り付けられる。内部材（80）は、分離器本体（70）の上側を閉塞する天板（81）と、分離器本体（70）の内部に配置される内筒（82）とを有している。
【００５０】
〈吐出カバー〉
図２及び図３に示すように、吐出カバー（41）は、吐出カバー本体（42）と、フランジ（43）とを備えている。吐出カバー本体（42）は、角形筒状に形成される。吐出カバー本体（42）には、ケーシング本体（12）を向く側面にカバー開口（44）が形成される。吐出カバー本体（42）の内部には、油を分離するための第１内部空間（45）が形成される。第１内部空間（45）は、高圧空間（H）の一部を構成している。つまり、第１内部空間（45）は、第１油溜まり（18）の一部を構成している。
【００５１】
フランジ（43）は、カバー開口（44）の外縁から径方向外方へ張り出している。フランジ（43）は、矩形枠状に形成される。フランジ（43）は、締結部材（図示省略）を介してケーシング本体（12）に連結される。これにより、ケーシング本体（12）が吐出カバー（41）によって閉塞され、一体的なケーシング（11）が構成される。
【００５２】
〈流入管〉
流入管（50）は、分離器本体（70）の上部に設けられる。より厳密には、流入管（50）の高さ位置は、内筒（82）の下端よりも高い（図４を参照）。流入管（50）は、直線部（51）と湾曲部（60）とを含んでいる。直線部（51）は、流入管（50）の上流側に形成され、湾曲部（60）は流入管（50）の下流側に形成される。
【００５３】
図３に示すように、直線部（51）は、吐出カバー本体（42）の内部に位置している。直線部（51）は、ケーシング（11）の軸心に沿うように水平に延びている。直線部（51）の流入端（即ち、流入管（50）の流入口（51a））は高圧空間（H）に面している。流入口（51a）は、フランジ（43）の端面と略面一に形成される。
【００５４】
湾曲部（60）は、流入管（50）に流入した冷媒中の油を遠心力によって分離する機能を有する。本実施形態の湾曲部（60）は、分離器本体（70）の外部に形成される。湾曲部（60）の始端は、直線部（51）と連続している。湾曲部（60）は、分離器本体（70）の軸周り方向に湾曲している。より厳密には、湾曲部（60）は、その上流部から下流部に向かって、分離器本体（70）の内部の旋回流の回転方向と同じ方向に湾曲している。湾曲部（60）は、分離器本体（70）の外筒（71）に沿うように、あるいは該外筒（71）を囲むように湾曲している。湾曲部（60）は、分離器本体（70）の外筒（71）を囲むように湾曲している。
【００５５】
図５に示すように、湾曲部（60）の流出端（60a）は、分離器本体（70）の第２内部空間（73）に開口している。湾曲部（60）の流出端（60a）は、外筒（71）の内周面の接線に沿った方向を向いている。
【００５６】
図５に示すように、流入管（50）の流入口（51a）の軸線（L1）は、分離器本体（70）の外筒（71）の外周面の接線（L2）よりも、分離器本体（70）の中心（P）に向かってオフセットしている。
【００５７】
〈分離器本体〉
分離器本体（70）は、冷媒の旋回流により生じる遠心力を利用して、冷媒中の油を分離する。分離器本体（70）は、上側が開放する縦長の有底円筒状の容器である。分離器本体（70）は、上述した外筒（71）と、該外筒（71）の下側を閉塞する円板状の底板（72）（底部）とを有する。分離器本体（70）の内部には、第２内部空間（73）が形成される。第２内部空間（73）の下部には、分離された油が貯留される第２油溜まり（74）が形成される。
【００５８】
外筒（71）の下端部には、油排出口（75）が形成される。油排出口（75）は、第２内部空間（73）（第２油溜まり（74））と、第１内部空間（第１油溜まり（18））とを連通させる。これにより、第２油溜まり（74）の油を、油排出口（75）を介して第１油溜まり（18）へ送ることができる。
【００５９】
〈内部材〉
内部材（80）は、上述した天板（81）及び内筒（82）を有している。
【００６０】
天板（81）は、円形開口（83）が板厚方向（鉛直方向）に貫通する円板状に形成される。天板（81）の外径は、分離器本体（70）の内径よりも大きい。天板（81）の外周縁部は、分離器本体（70）の上端に固定される。天板（81）の円形開口（83）には、冷媒回路の冷媒配管（吐出管）が接続される。
【００６１】
内筒（82）は、天板（81）の円形開口（83）の内縁から下方に延びる円筒状に形成される。内筒（82）は、外筒（71）と同軸上に配置される。これにより、内筒（82）と外筒（71）との間には、冷媒が軸周り（図５の矢印Ｘで示す方向）に旋回する円筒状の空間が形成される。内筒（82）の内部には、冷媒が上方に流れる内部通路（84）が形成される。内部通路（84）の流入端（下端）には、第２内部空間（73）に連通する流入口（内筒流入口（85））が形成される。内部通路（84）の流出端（上端）は、円形開口（83）に連通する。
【００６２】
〈湾曲部の詳細〉
流入管（50）の湾曲部（60）の詳細な構成について説明する。
【００６３】
図５及び図６に示すように、湾曲部（60）は、第１壁（61）と第２壁（62）とを有する。第１壁（61）が内側寄り（分離器本体（70）寄り）に位置し、第２壁（62）が外側寄りに位置している。
【００６４】
第１壁（61）は、分離器本体（70）の外筒（71）と略面一に形成される。第１壁（61）、及びその内面（61a）は、流入管（50）の軸直角断面視において、上下に延びる平坦形状である。第１壁（61）は、分離器本体（70）の軸直角断面視において、略円弧状である。第１壁（61）は、分離器本体（70）の軸心を基準とした場合に、約１８０°以上の範囲に亘って形成される。
【００６５】
第１壁（61）は、外筒（71）の一部として兼用されている。つまり、分離器本体（70）の周壁（外筒（71））と湾曲部（60）の第１壁（61）とが、共有部（C）を構成している。換言すると、第１壁（61）は、湾曲部（60）内の通路（63）と、分離器本体（70）の内部空間（第２内部空間（73））との間の隔壁を構成している。
【００６６】
第２壁（62）は、外筒（71）ないし第１壁（61）から径方向外方へ膨出している。第２壁（62）は、流入管（50）の軸直角断面視において、外筒（71）側に開口するＵ字形状である。第２壁（62）は、分離器本体（70）の軸直角断面視において、略円弧状である。第２壁（62）は、分離器本体（70）の軸心を基準とした場合に、約１８０°以上の範囲に亘って形成される。
【００６７】
第２壁（62）は、分離器本体（70）と共有されない非共有部である。第２壁（62）は、分離器本体（70）の外部に位置している。従って、第２壁（62）は、外部（大気温度雰囲気）に露出される露出部を構成している。
【００６８】
図５に示すように、第２壁（62）の内面と外筒（71）の内面とは、滑らかに連続している。つまり、分離器本体（70）の軸直角な断面形状において、第２壁（62）と外筒（71）とは、滑らかに連続する渦巻き状の内壁を構成している。この渦巻き状の内壁は、その外端から内端へ向かって、冷媒の旋回流と同じ方向に巻かれている。
【００６９】
〈油抜き穴〉
図７に示すように、湾曲部（60）には、その内部の通路（63）に溜まった油を湾曲部（60）の外部へ排出するための油抜き穴（90）が形成される。油抜き穴（90）の流路断面の形状は、例えば円形に形成される。油抜き穴（90）は、湾曲部（60）の外周側部分（64）に形成される。ここで、外周側部分（64）は、湾曲部（60）の管壁のうち分離器本体（70）の軸心を向く部分である。また、同図に示すように、油抜き穴（90）は、湾曲部（60）の下側部分（65）に形成される。ここで、下側部分（65）は、湾曲部（60）の管壁のうち、湾曲部（60）内の通路（63）の軸心（上下方向の中間の高さ位置）よりも低い部分である。油抜き穴（90）は、湾曲部（60）のうち下流端寄りに設けられる。油抜き穴（90）は、湾曲部（60）の内周面の曲率中心を向くように法線方向に開口している。本実施形態の油抜き穴（90）は１つであるが２つ以上であってもよい。
【００７０】
〈連通部材〉
図２及び図７に示すように、通路部材（91）は、油抜き穴（90）に対応する位置に設けられる。通路部材（91）は、縦長の直方体、ないし平板状に形成される。通路部材（91）の内部には、油抜き穴（90）と繋がる油通路（92）が形成される。油通路（92）は、湾曲部（60）の油抜き穴（90）と、分離器本体（70）の第２内部空間（第２油溜まり（74））とを連通させる。油通路（92）は、縦長の縦通路（92a）と、縦通路（92a）の下端に接続する横長の横通路（92b）と、横通路（92b）の径方向内端に接続する流出通路（92c）とを含んでいる。図８に示すように、油通路（92）の流出開口（93）は、分離器本体（70）の外筒（71）に形成される。より具体的には、油通路（92）の流出開口（93）は、内筒流入口（85）より下側で、且つ該内筒流入口（85）よりも外周側に位置している。油通路（92）の流出開口（93）の軸線（L3）は、外筒（71）の内周面（71a）の接線（L4）に沿った方向を向いている。つまり、本実施形態では、流出開口（93）の軸線（L3）が、外筒（71）の内周面（71a）の接線（L4）（厳密には、流出開口（93）が形成される箇所の接線）と概ね一致している。
【００７１】
〈油分離器の一体構造〉
油分離器（40）は、吐出カバー（41）、流入管（50）、分離器本体（70）、及び通路部材（91）が、鋳造によって一体成型される。つまり、吐出カバー（41）、流入管（50）、分離器本体（70）、及び通路部材（91）は、鋳物からなる一体構造の第１ユニットを構成している。一方、内部材（80）は、第１ユニットと別部材の第２ユニットで構成される。
【００７２】
−油分離器の動作−
図１に示すように、圧縮機（10）の運転時には、圧縮室（35）で圧縮された後の冷媒が、高圧空間（H）から流入管（50）に流入する。この冷媒は、直線部（51）を通過した後、湾曲部（60）を流れる。湾曲部（60）では、冷媒が湾曲部（60）に沿って旋回する。これにより、冷媒中の小さな油滴が遠心力によって分離される。
【００７３】
ここで、図４及び図６に示すように、湾曲部（60）では、第１壁（61）が分離器本体（70）の第２内部空間（73）に面するのに対し、第２壁（62）は分離器本体（70）の外部に露出している。また、第２内部空間（73）には高温の冷媒が流れるのに対し、分離器本体（70）の外部は大気温度雰囲気である。このため、第２壁（62）は第１壁（61）よりも低い温度になる。このため、比較的高温の第１壁（61）の近傍の油滴は流動し易くなり、遠心力によって第２壁（62）側に移動し易くなる。一方、比較的低温の第２壁（62）の近傍の油は、冷却されて流動しにくくなる。このため、湾曲部（60）では、第２壁（62）ないし外周側部分（64）において、油が捕集され易くなり、捕集された油滴のサイズも大きくなり易い。
【００７４】
このようにして湾曲部（60）で油滴のサイズが大きくなった油は、冷媒とともに分離器本体（70）に流入する。分離器本体（70）では、第２内部空間（73）において冷媒が旋回する。この結果、冷媒中の油滴が遠心力によって更に分離される。ここで、冷媒中の油滴は、上述した湾曲部（60）を通過する際にサイズが大きくなっている。この結果、油滴に作用する遠心力が増大し、油の分離効率が向上する。
【００７５】
第２内部空間（73）で分離された油は、第２油溜まり（74）に貯留される。油が分離された後の冷媒は、内部通路（84）を上方へ流れ、吐出管を介して冷媒回路へ送られる。
【００７６】
上述した湾曲部（60）には、油抜き穴（90）が形成されている。このため、湾曲部（60）で分離された油の一部を油抜き穴（90）及び油通路（92）を介して直接的に第２油溜まり（74）に送ることがでる。
【００７７】
油抜き穴（90）は、湾曲部（60）の外周側部分（64）に形成される。ここで、外周側部分（64）には、遠心力によって移動した油滴が溜まり易い。このため、外周側部分（64）の内壁に捕集した油を油抜き穴（90）に導き易くなる。
【００７８】
油抜き穴（90）は、湾曲部（60）の下側部分（65）に形成される。このため、自重により下側部分（65）の内壁に溜まった油を油抜き穴（90）に導き易くなる。
【００７９】
油通路（92）の流出開口（93）は、外筒（71）に形成される。このため、この流出開口（93）と、内部通路（84）の流入端との距離を十分に確保できる。また、図８に示すように、流出開口（93）（軸線（L3））は、外筒（71）の接線（L4）方向を向くように開口するため、流出開口（93）から流出した油は、外筒（71）の内周面に沿うように、第２内部空間（73）へ流入する。この結果、油通路（92）から第２内部空間（73）に流入した油が、内部通路（84）へ向かう冷媒の流れにのって、該冷媒とともに吐出管へ送られることを回避できる。
【００８０】
第２油溜まり（74）の油は、油排出口（75）を介して第１油溜まり（18）へ送られる。第１油溜まり（18）の油は、油導入路（17）を経由して軸受け室（26）に送られる。この軸受け室（26）の油により、第２軸受け（25）の摺動部の潤滑が行われる。なお、軸受け室（26）の油は、所定の通路（図示省略）を経由して、圧縮機構（30）や第１軸受け（24）の摺動部にも供給される。
【００８１】
−実施形態の作用／効果−
本形態では、湾曲部（60）に油抜き穴（90）を形成している。これにより、湾曲部（60）で分離した油が冷媒の流れの影響を受けて再飛散することを抑制できる。
【００８２】
具体的には、圧縮機（10）は、電動機（20）の回転数、ひいては冷媒の循環量が調節可能である。このため、例えば冷媒の循環量を増大変化させると、湾曲部（60）を流れる冷媒の流速も増大する。この際、湾曲部（60）の内壁に付着した油は、冷媒によって吹き飛ばされ、細かい油滴が再飛散してしまう可能性がある。また、湾曲部（60）で分離した油が冷媒とともに分離器本体（70）へ流入する際にも、この油が冷媒によって吹き飛ばされ、油滴が再飛散してしまう可能性がある。
【００８３】
これに対し、本形態では、湾曲部（60）で分離した油を、油抜き穴（90）を介して湾曲部（60）の外部へ排出できる。このため、上述のような油の再飛散を回避でき、油分離効率を向上できる。
【００８４】
本形態では、油抜き穴（90）が湾曲部（60）の外周側部分（64）に配置される。湾曲部（60）では、遠心力により分離された油が、外周側部分（64）の内壁に付着し易い。このため、外周側部分（64）に油抜き穴（90）を配置することで、分離後の油が油抜き穴（90）に流入し易くなる。
【００８５】
本形態では、油抜き穴（90）が湾曲部（60）の下側部分（65）に配置される。湾曲部（60）では、油の自重により、この油が下側部分（65）の内壁に付着し易い。このため、下側部分（65）に油抜き穴（90）を配置することで、分離後の油が油抜き穴（90）に流入し易くなる。
【００８６】
本形態では、油抜き穴（90）と、分離器本体（70）の第２油溜まり（74）とを連通させる油通路（92）を備えている。これにより、湾曲部（60）で分離した油を、再飛散することなしに第２油溜まり（74）に回収できる。加えて、油の遠心力を利用して、湾曲部（60）の油を第２油溜まり（74）へ搬送できる。加えて、油抜き穴（90）と第２油溜まり（74）との距離は比較的短いため、湾曲部（60）の油を確実に第２油溜まり（74）に送ることができる。加えて、湾曲部（60）は第２油溜まり（74）よりも高い位置にあるため、油の自重を利用して、湾曲部（60）の油を第２油溜まり（74）へ搬送できる。
【００８７】
本形態では、油通路（92）の流出開口（93）が、内筒流入口（85）より下側で、且つ該流入口（51a）よりも外周側に位置している。加えて、油通路（92）の流出開口（93）は、外筒（71）に形成されている。これらの構成により、油通路（92）の流出開口（93）と、内筒流入口（85）との距離を離すことができる。従って、油通路（92）の流出開口（93）を流出した油が、内筒流入口（85）に流入する冷媒の流れの影響により、再飛散したり、内筒流入口（85）に流入したりすることを回避できる。
【００８８】
本形態では、油通路（92）の流出開口（93）は、分離器本体（70）の内周面（71a）の接線に沿った方向に開口している。このため、油通路（92）の流出開口（93）を流出した油が、内筒流入口（85）に流入する冷媒の流れの影響により、再飛散したり、内筒流入口（85）に流入したりすることを一層確実に回避できる。
【００８９】
本形態では、油抜き穴（90）に流入した油が、第２油溜まり（74）、第１油溜まり（18）、油導入路（17）、軸受け室（26）を順に流れ、軸受け（24,25）や圧縮機構（30）へ供給される。このため、湾曲部（60）で分離した油をこれらの摺動部の潤滑に利用できる。
【００９０】
《実施形態の変形例》
上記実施形態については、次のような変形例の構成としてもよい。
【００９１】
〈変形例１〉
図９に示す変形例１は、湾曲部（60）に複数（本例では３つ）の油抜き穴（90）が形成される。これらの油抜き穴（90）は、冷媒の流れ方向に配列される。より詳細に、これらの油抜き穴（90）は、上流側から下流側に向かって順に、第１油抜き穴（90a）、第２油抜き穴（90b）、及び第３油抜き穴（90c）で構成される。変形例１の湾曲部（60）では、各油抜き穴（90）の高さ位置（軸周りの角度位置）が互いに等しい。
【００９２】
変形例１では、複数の油抜き穴（90）の開口面積が、下流側に向かうにつれて小さい。具体的には、第１油抜き穴（90a）の開口面積をＡ１、第２油抜き穴（90b）の開口面積をＡ２、第３油抜き穴（90c）の開口面積をＡ３とすると、Ａ１＞Ａ２＞Ａ３の関係を満たしている。なお、各油抜き穴（90）には、油通路（図示省略）が接続されている。
【００９３】
本形態では、湾曲部（60）での冷媒の流れ方向に複数の油抜き穴（90）を配置している。このため、湾曲部（60）から油抜き穴（90）へ導入する油の量を増大でき、油の再飛散を確実に抑制できる。
【００９４】
変形例１では、複数の油抜き穴（90）の開口面積が、下流側に向かうにつれて小さい。ここで、湾曲部（60）では、その上流側の方が下流側に比べて分離された油の量が多くなり易い。変形例１の油抜き穴（90）の開口面積は、分離される油の量、ないしサイズに対応している。このため、例えば第１油抜き穴（90a）では、比較的多くの油を確実に排出できる。また、例えば第３油抜き穴（90c）では、開口面積が過剰に大きくなることを回避できる。従って、例えば冷媒が第３油抜き穴（90c）を通じて湾曲部（60）の外部へ流出してしまうことを回避できる。
【００９５】
〈変形例２〉
図１０に示す変形例２は、湾曲部（60）に複数の油抜き穴（90）を設けた構成において、各油抜き穴（90）の軸周りの角度位置が互いに異なっている。具体的の湾曲部（60）には、第１油抜き穴（90a）、第２油抜き穴（90b）、及び第３油抜き穴（90c）が冷媒の流れ方向に配列される。これらの油抜き穴（90）のサイズは、例えば同じに設定される。一方、これらの油抜き穴（90）は、湾曲部（60）の軸心（図１０の点ａ）を基準とした周方向の角度位置が、軸直角断面視において互いにずれいている。なお、各油抜き穴（90）には、油通路（図示省略）が接続されている。
【００９６】
本形態では、複数の油抜き穴（90）が、流入管（50）の軸周りの角度位置が互い異なる。湾曲部（60）では、分離された油が内壁の周方向に幅広に分布する場合もある。これに対し、このように複数の油抜き穴（90）の角度位置をずらすことで、このような油をいずれかの油抜き穴（90）内に捕捉できる。
【００９７】
〈変形例３〉
図１１に示す変形例３は、湾曲部（60）の油抜き穴（90）がスリット（95）で構成される。スリット（95）は、冷媒の流れ方向に延びている。スリット（95）は、湾曲部（60）の外周側部分（64）、且つ下側部分（65）に配置するのが好ましい。変形例３のスリット（95）は、下流側に向かうにつれて開口幅（湾曲部（60）の周方向の幅）が小さくなっている。なお、スリット（95）には、油通路（図示省略）が接続されている。
【００９８】
この形態では、スリット（95）の開口幅が、下流側に向かうにつれて小さい。つまり、変形例３では、スリット（95）の開口幅は、分離される油の量、ないしサイズに対応している。このため、例えばスリット（95）の上流部分では、比較的多くの油を確実に排出できる。また、例えばスリット（95）の下流部分では、開口幅が過剰に大きくなることを回避できる。従って、例えば冷媒がスリット（95）の下流部分を通じて湾曲部（60）の外部へ流出してしまうこを回避できる。
【００９９】
〈変形例４〉
図１２に示す変形例４は、上記実施形態と第２壁（62）の形状が異なる。変形例４の第２壁（62）の内面（62a）は、軸直角断面視において、径方向外方へ向かうにつれて先細な形状をしている。具体的に、変形例４の湾曲部（60）は、多角形（本例では５角形）の断面形状を有する。第２壁（62）では、外側寄りの２つの面（62b,62b）の間隔が径方向外方に向かうにつれて狭くなっている。これにより、第２壁（62）では、径方向外方の先端に対応する部分に、油を捕捉する溝（67）が形成される。
【０１００】
本形態では、油抜き穴（90）が、湾曲部（60）の内面（61a）の先端に対応する先端部（即ち、溝（67）の底部）に配置される。このため、溝（67）を流れる油を油抜き穴（90）に容易に導くことができる。
【０１０１】
〈変形例５〉
図１３に示す変形例５の湾曲部（60）は、径方向外方へ向かうにつれて先細な三角形の断面形状を有する。湾曲部（60）では、その径方向外方の先端に溝（67）が形成され、この溝（67）の底部に油抜き穴（90）が形成される。変形例５においても、変形例４と同様の作用・効果が得られる。
【０１０２】
〈変形例６〉
図１４に示す変形例６は、分離器本体（70）の内部に分離板（76）が設けられる。分離板（76）は、下方に向かって内径が小さくなる略円錐台の筒状に形成される。分離板（76）の上端は、外筒（71）に支持される。分離板（76）の下端には、円形の開口が形成される。分離板（76）は、第２油溜まり（74）の油が内筒（82）の内部へ流入してしまうことを抑制する。
【０１０３】
本形態では、油通路（92）の流出開口（93）は、分離板（76）の下側に位置する。このため、油通路（92）の流出開口（93）を流出した油が、内筒流入口（85）に流入する冷媒の流れの影響により、再飛散したり、内筒流入口（85）に流入したりすることを、分離板（76）によって抑制できる。
【０１０４】
〈変形例７〉
図１５に示す変形例５は、流入管（50）と分離器本体（70）とが一体化されておらず、別部材で構成されている。流入管（50）の湾曲部（60）には、上記実施形態と同様、油抜き穴（90）が形成される。なお、油抜き穴（90）には、油通路（図示省略）が接続されている。
【０１０５】
〈変形例８〉
図１６に示す変形例８では、油分離器（40）が圧縮機（10）のケーシング（11）の内部に収容される。油分離器（40）は、ケーシング（11）の吐出カバー（14）の内部に収容される。吐出カバー（14）は、油分離器（40）と別体に構成され、上述したケーシング本体（11）の高圧側の開口部を閉塞している。吐出カバー（14）の内部には、高圧冷媒で満たされる高圧空間（H）が形成される。吐出カバー（14）の下側には、油溜まり（14a）が形成される。
【０１０６】
油分離器（40）は、油溜まり（14a）の上側において、例えば支持部材（15）によって支持される。圧縮機構（30）で圧縮された高圧の冷媒は、上述した各形態と同様、流入管（50）の湾曲部（60）を流れた後、分離器本体（70）に流入する。分離器本体（70）の内部の流体は、吐出管（85）を介して冷媒回路へ送られる。
【０１０７】
変形例８では、上記実施形態と同様、湾曲部（60）に油抜き穴（90）が形成される。油抜き穴（90）は、湾曲部（60）の内部と、湾曲部（60）の外部とを直に連通させている。このため、湾曲部（60）の油抜き穴（90）を流出した油は、自重によって下方へ落ち、直接的に油溜まり（14a）に回収される。油溜まり（14a）の油は、上記実施形態と同様、所定の油導入路を経由して、圧縮機構（30）や軸受け（24,25）の潤滑に利用される。なお、湾曲部（60）の油抜き穴（90）は、上述した各形態の構成のいずれを採用してもよい。
【０１０８】
《その他の実施形態》
図１７に示すように、油通路（92）の流出開口（93）の軸線（L3）は、外筒（71）の内周面（71a）の接線（L4）と一致してなくてもよい。具体的には、流出開口（93）は、接線（L4）に沿う方向に開口する一方、軸線（L3）が接線（L4）よりも中心（P）側にオフセットしていてもよい。また、流出開口（93）は、中心（P）を向くように法線方向に向かって開口していてもよい。
【０１０９】
油分離器（40）は、分離器本体（70）の内部で遠心力を利用して油を分離する遠心式であれば、如何なる構成であってもよく、内筒（82）を有さなくてもよい。
【０１１０】
第２油溜まり（74）に回収した油を直接的に軸受け室（26）に送ってもよいし、軸受け室（26）を経由せずに、圧縮機構（30）などの摺動部へ供給してもよい。第２油溜まり（74）の油を圧縮室（35）の圧縮途中（中間圧部分）に戻してもよい。
【０１１１】
同様に、油抜き穴（90）から抜いた油を直接的に軸受け室（26）に送ってもよいし、軸受け室（26）を経由せずに、圧縮機構（30）などの摺動部へ供給してもよい。油抜き穴（90）から抜いた油を圧縮室（35）の圧縮途中（中間圧部分）に戻してもよい。
【０１１２】
圧縮機（10）は、２つのスクリューを有するツインスクリュー圧縮機であってもよいし、１つのゲートロータを有する１ゲート型のシングルスクリュー圧縮機であってもよい。
【０１１３】
圧縮機（10）は、スクリュー式以外にも、ロータリ式、スイング式、スクロール式、ターボ式等の他の方式を採用できる。
【０１１４】
冷凍装置は、室内の空調を行う空気調和装置、庫内の空気を冷却する冷却器、ヒートポンプ式の給湯器等であってもよい。
【０１１５】
油分離器（40）は、流体から油を分離する用途であれば、圧縮機（10）や冷凍装置以外の装置に適用してもよい。
【産業上の利用可能性】
【０１１６】
本発明は、遠心式の油分離器について有用である。
【符号の説明】
【０１１７】
１０      圧縮機
１７      油導入路
２０      電動機
２３      駆動軸
３０      圧縮機構
４０      油分離器
５０      流入管
５１ａ    流入口
６０      湾曲部
６１ａ    内面
６４      外周側部分
６５      下側部分
６７      溝（先端部）
７０      分離器本体
７１      外筒（周壁）
７１ａ    内周面
７２      底板（底部）
７４      第２油溜まり（油溜まり）
７６      分離板
８２      内筒
８５      内筒流入口（流入口）
９０      油抜き穴
９２      油通路
９３      流出開口
９５      スリット
【図１】
2019063717.tif 000003
【図２】
2019063717.tif 000004
【図３】
2019063717.tif 000005
【図４】
2019063717.tif 000006
【図５】
2019063717.tif 000007
【図６】
2019063717.tif 000008
【図７】
2019063717.tif 000009
【図８】
2019063717.tif 000010
【図９】
2019063717.tif 000011
【図１０】
2019063717.tif 000012
【図１１】
2019063717.tif 000013
【図１２】
2019063717.tif 000014
【図１３】
2019063717.tif 000015
【図１４】
2019063717.tif 000016
【図１５】
2019063717.tif 000017
【図１６】
2019063717.tif 000018
【図１７】
2019063717.tif 000019